(57)【要約】【課題】本発明は車載風車装飾品を開示した。【解決手段】箱を含み、前記箱の右側端面には四つの固定できる両面テープが固定的に取り付けられ、前記箱の右側端面の中には羽根チャンバが設けられ、前記羽根チャンバの左側には伝動チャンバが設けられ、第三歯車がチェーンにより第二歯車を回転連動させ、第二歯車が回転し動力ロッドを回転連動させ、動力ロッドが回転し固定ロッドを回転連動させ、固定ロッドが固定ブロックにより環状ブロックを前後に移動連動させ、ラックを前後に移動させ、ラックが第一歯車により回転箱を回転連動させ、エアコンの吹出口に固定でき、車内エアコンが吹き出した風を利用し羽根を回し、娯楽性を増やし、また風車全体を回転させる時、引きブロックを引くことにより回転箱を回転させる。【選択図】図１
2020182746.tif 000002
【特許請求の範囲】
【請求項１】
正面視で、箱を含み、前記箱の右側端面には四つの固定できる両面テープが固定的に取り付けられ、前記箱の右側端面の中には羽根チャンバが設けられ、前記羽根チャンバの左側には伝動チャンバが設けられ、前記伝動チャンバの左側には噛合チャンバが設けられ、前記噛合チャンバと前記羽根チャンバとの間には回転ロッドが回転できるように取り付けられ、前記回転ロッドの右側端面には第一羽根が固定的に取り付けられ、前記羽根チャンバの中には上下に対称する抜き穴が連通するように設けられ、前記回転ロッドの左側端面には第一傘歯車が固定的に取り付けられ、前記噛合チャンバの上方には補助チャンバが設けられ、前記補助チャンバの中には回転箱が回転できるように取り付けられ、前記回転箱の中には下方に開口した回転チャンバが設けられ、前記噛合チャンバの頂壁の中には前記回転チャンバの底壁を貫通している伝動ロッドが回転できるように取り付けられ、前記伝動ロッドには第二傘歯車が上下に対称的に固定的に取り付けられ、前記第一傘歯車と下側の前記第二傘歯車とが固定的に取り付けられ、前記回転チャンバの左側内壁の中には補助ロッドが回転できるように取り付けられ、前記補助ロッドの右側端面には第三傘歯車が固定的に取り付けられ、前記第三傘歯車と上側の前記第二傘歯車とが噛合し、前記補助ロッドの左側端面には第二羽根が固定的に取り付けられ、前記箱を車内のエアコンの吹出口のところに固定し、エアコンの風が第一羽根を吹き回転させ、前記第一羽根が前記回転ロッドを回転連動させ、前記回転ロッドが回転し前記第一傘歯車を回転連動させ、前記第一傘歯車が前記第二傘歯車と前記伝動ロッドとにより前記補助ロッドを回転連動させ、前記補助ロッドが前記第二羽根を回転連動させ、前記回転箱の前側には前記回転箱を回転連動させることができる回転機構が設けられ、前記回転機構は前記回転箱に固定的に取り付けられた第一歯車を含み、前記補助チャンバの右側にはラックチャンバが連通するように設けられ、前記ラックチャンバの中にはラックがスライドできるように取り付けられ、前記ラックと前記第一歯車とが噛み合い、前記ラックが前後に移動し前記第一歯車を回転連動させ、前記第一歯車が回転し前記回転箱を回転連動させ、前記回転機構の下方には前記回転箱の回転を制御する制御機構が設けられることを特徴とする車載風車装飾品。
【請求項２】
前記回転機構は前記補助チャンバの前側に設けられた動力チャンバも含み、前記動力チャンバの右側にはチェーンチャンバが設けられ、前記チェーンチャンバと前記動力チャンバとの間には動力ロッドが回転できるように取り付けられ、前記動力ロッドの左側端面には固定ロッドが固定的に取り付けられ、前記固定ロッドの左側端面には固定ブロックが固定的に取り付けられ、前記ラックの前側端面には環状ブロックが固定的に取り付けられ、前記環状ブロックの中にはスライド溝が設けられ、前記スライド溝と前記固定ブロックとがスライドできるように取り付けられ、前記動力ロッドの右側端面には第二歯車が固定的に取り付けられ、前記チェーンチャンバの左側には連結チャンバが設けられ、前記連結チャンバと前記チェーンチャンバとの間には連結ロッドが回転できるように取り付けられ、前記連結ロッドの右側端面には第三歯車が固定的に取り付けられ、前記第三歯車と前記第二歯車との間にはチェーンが伝動できるように設けられることを特徴とする請求項１に記載の車載風車装飾品。
【請求項３】
前記制御機構は前記伝動チャンバの前側内壁の中に回転できるように取り付けられた駆動ロッドを含み、前記駆動ロッドの後側端面には第五傘歯車が固定的に取り付けられ、前記第五傘歯車と前記第四傘歯車とが噛合し、前記駆動ロッドの中にはスライドチャンバが設けられ、前記スライドチャンバの中にはスライドブロックがスライドできるように取り付けられ、前記スライドブロックの前側端面と前記スライドチャンバの前側内壁との間にはバネが固定的に取り付けられ、前記スライドブロックの前側端面には引きロッドが固定的に取り付けられ、前記チェーンの前側端面には引っ掛かり溝が設けられ、前記引きロッドが前に伸びて前記引っ掛かり溝の後側内壁を貫通しており、前記引きロッドには第七傘歯車が固定的に取り付けられ、前記第七傘歯車と前記第六傘歯車とが噛合でき、前記引きロッドの前側端面には引きブロックが回転できるように取り付けられることを特徴とする請求項１に記載の車載風車装飾品。
【発明の詳細な説明】
【技術分野】
【０００１】
本発明は装飾品分野を取り上げて、具体的には車載風車装飾品である。
【背景技術】
【０００２】
一般的な車載風車はただ車に置かれただけ、風車を回すには人力で実現しなければならなく、娯楽性が足りなく、また一般的な車載風車は羽根しか回すことができなく、風車全体の回転の繰り返しを実現することが難しい。
【先行技術文献】
【特許文献】
【０００３】
【特許文献１】中国特許出願公開第１０９６０３１６４号明細書
【発明の概要】
【発明が解決しようとする課題】
【０００４】
本発明の目的は車載風車装飾品を提供し、それは上記の現在の技術中の問題を解決できる。
【課題を解決するための手段】
【０００５】
本発明の車載風車装飾品は、箱を含み、前記箱の右側端面には四つの固定できる両面テープが固定的に取り付けられ、前記箱の右側端面の中には羽根チャンバが設けられ、前記羽根チャンバの左側には伝動チャンバが設けられ、前記伝動チャンバの左側には噛合チャンバが設けられ、前記噛合チャンバと前記羽根チャンバとの間には回転ロッドが回転できるように取り付けられ、前記回転ロッドの右側端面には第一羽根が固定的に取り付けられ、前記羽根チャンバの中には上下に対称する抜き穴が連通するように設けられ、前記回転ロッドの左側端面には第一傘歯車が固定的に取り付けられ、前記噛合チャンバの上方には補助チャンバが設けられ、前記補助チャンバの中には回転箱が回転できるように取り付けられ、前記回転箱の中には下方に開口した回転チャンバが設けられ、前記噛合チャンバの頂壁の中には前記回転チャンバの底壁を貫通している伝動ロッドが回転できるように取り付けられ、前記伝動ロッドには第二傘歯車が上下に対称的に固定的に取り付けられ、前記第一傘歯車と下側の前記第二傘歯車とが固定的に取り付けられ、前記回転チャンバの左側内壁の中には補助ロッドが回転できるように取り付けられ、前記補助ロッドの右側端面には第三傘歯車が固定的に取り付けられ、前記第三傘歯車と上側の前記第二傘歯車とが噛合し、前記補助ロッドの左側端面には第二羽根が固定的に取り付けられ、前記箱を車内のエアコンの吹出口のところに固定し、エアコンの風が第一羽根を吹き回転させ、前記第一羽根が前記回転ロッドを回転連動させ、前記回転ロッドが回転し前記第一傘歯車を回転連動させ、前記第一傘歯車が前記第二傘歯車と前記伝動ロッドとにより前記補助ロッドを回転連動させ、前記補助ロッドが前記第二羽根を回転連動させ、前記回転箱の前側には前記回転箱を回転連動させることができる回転機構が設けられ、前記回転機構は前記回転箱に固定的に取り付けられた第一歯車を含み、前記補助チャンバの右側にはラックチャンバが連通するように設けられ、前記ラックチャンバの中にはラックがスライドできるように取り付けられ、前記ラックと前記第一歯車とが噛み合い、前記ラックが前後に移動し前記第一歯車を回転連動させ、前記第一歯車が回転し前記回転箱を回転連動させ、前記回転機構の下方には前記回転箱の回転を制御する制御機構が設けられる。
【０００６】
更の技術プラン、前記回転機構は前記補助チャンバの前側に設けられた動力チャンバも含み、前記動力チャンバの右側にはチェーンチャンバが設けられ、前記チェーンチャンバと前記動力チャンバとの間には動力ロッドが回転できるように取り付けられ、前記動力ロッドの左側端面には固定ロッドが固定的に取り付けられ、前記固定ロッドの左側端面には固定ブロックが固定的に取り付けられ、前記ラックの前側端面には環状ブロックが固定的に取り付けられ、前記環状ブロックの中にはスライド溝が設けられ、前記スライド溝と前記固定ブロックとがスライドできるように取り付けられ、前記動力ロッドの右側端面には第二歯車が固定的に取り付けられ、前記チェーンチャンバの左側には連結チャンバが設けられ、前記連結チャンバと前記チェーンチャンバとの間には連結ロッドが回転できるように取り付けられ、前記連結ロッドの右側端面には第三歯車が固定的に取り付けられ、前記第三歯車と前記第二歯車との間にはチェーンが伝動できるように設けられる。
【０００７】
更の技術プラン、前記制御機構は前記伝動チャンバの前側内壁の中に回転できるように取り付けられた駆動ロッドを含み、前記駆動ロッドの後側端面には第五傘歯車が固定的に取り付けられ、前記第五傘歯車と前記第四傘歯車とが噛合し、前記駆動ロッドの中にはスライドチャンバが設けられ、前記スライドチャンバの中にはスライドブロックがスライドできるように取り付けられ、前記スライドブロックの前側端面と前記スライドチャンバの前側内壁との間にはバネが固定的に取り付けられ、前記スライドブロックの前側端面には引きロッドが固定的に取り付けられ、前記チェーンの前側端面には引っ掛かり溝が設けられ、前記引きロッドが前に伸びて前記引っ掛かり溝の後側内壁を貫通しており、前記引きロッドには第七傘歯車が固定的に取り付けられ、前記第七傘歯車と前記第六傘歯車とが噛合でき、前記引きロッドの前側端面には引きブロックが回転できるように取り付けられる。
【発明の効果】
【０００８】
本発明はエアコンの吹出口に固定でき、車内エアコンが吹き出した風を利用し羽根を回し、娯楽性を増やし、また風車全体を回転させる時、引きブロックを引くことにより回転箱を回転させ、普及価値がある。
【図面の簡単な説明】
【０００９】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１０】
【図１】図１は本発明の構成略図
【図２】図２は図１のＡ−Ａの断面構成略図
【図３】図３は図２のＢ−Ｂの断面構成略図
【図４】図４は図２のＣ−Ｃの断面構成略図
【発明を実施するための形態】
【００１１】
図１〜４を参照し、本発明の車載風車装飾品は、箱１７を含み、前記箱１７の右側端面には四つの固定できる両面テープ２３が固定的に取り付けられ、前記箱１７の右側端面の中には羽根チャンバ２４が設けられ、前記羽根チャンバ２４の左側には伝動チャンバ５５が設けられ、前記伝動チャンバ５５の左側には噛合チャンバ１９が設けられ、前記噛合チャンバ１９と前記羽根チャンバ２４との間には回転ロッド２５が回転できるように取り付けられ、前記回転ロッド２５の右側端面には第一羽根２１が固定的に取り付けられ、前記羽根チャンバ２４の中には上下に対称する抜き穴２２が連通するように設けられ、前記回転ロッド２５の左側端面には第一傘歯車１８が固定的に取り付けられ、前記噛合チャンバ１９の上方には補助チャンバ１５が設けられ、前記補助チャンバ１５の中には回転箱３２が回転できるように取り付けられ、前記回転箱３２の中には下方に開口した回転チャンバ３１が設けられ、前記噛合チャンバ１９の頂壁の中には前記回転チャンバ３１の底壁を貫通している伝動ロッド２９が回転できるように取り付けられ、前記伝動ロッド２９には第二傘歯車１６が上下に対称的に固定的に取り付けられ、前記第一傘歯車１８と下側の前記第二傘歯車１６とが固定的に取り付けられ、前記回転チャンバ３１の左側内壁の中には補助ロッド１２が回転できるように取り付けられ、前記補助ロッド１２の右側端面には第三傘歯車１３が固定的に取り付けられ、前記第三傘歯車１３と上側の前記第二傘歯車１６とが噛合し、前記補助ロッド１２の左側端面には第二羽根１１が固定的に取り付けられ、前記箱１７を車内のエアコンの吹出口のところに固定し、エアコンの風が第一羽根２１を吹き回転させ、前記第一羽根２１が前記回転ロッド２５を回転連動させ、前記回転ロッド２５が回転し前記第一傘歯車１８を回転連動させ、前記第一傘歯車１８が前記第二傘歯車１６と前記伝動ロッド２９とにより前記補助ロッド１２を回転連動させ、前記補助ロッド１２が前記第二羽根１１を回転連動させ、前記回転箱３２の前側には前記回転箱３２を回転連動させることができる回転機構７０が設けられ、前記回転機構７０は前記回転箱３２に固定的に取り付けられた第一歯車１４を含み、前記補助チャンバ１５の右側にはラックチャンバ３３が連通するように設けられ、前記ラックチャンバ３３の中にはラック２８がスライドできるように取り付けられ、前記ラック２８と前記第一歯車１４とが噛み合い、前記ラック２８が前後に移動し前記第一歯車１４を回転連動させ、前記第一歯車１４が回転し前記回転箱３２を回転連動させ、前記回転機構７０の下方には前記回転箱３２の回転を制御する制御機構８０が設けられる。
【００１２】
前記回転機構７０は前記補助チャンバ１５の前側に設けられた動力チャンバ４４も含み、前記動力チャンバ４４の右側にはチェーンチャンバ５４が設けられ、前記チェーンチャンバ５４と前記動力チャンバ４４との間には動力ロッド４３が回転できるように取り付けられ、前記動力ロッド４３の左側端面には固定ロッド４５が固定的に取り付けられ、前記固定ロッド４５の左側端面には固定ブロック４８が固定的に取り付けられ、前記ラック２８の前側端面には環状ブロック４６が固定的に取り付けられ、前記環状ブロック４６の中にはスライド溝４７が設けられ、前記スライド溝４７と前記固定ブロック４８とがスライドできるように取り付けられ、前記動力ロッド４３の右側端面には第二歯車５３が固定的に取り付けられ、前記チェーンチャンバ５４の左側には連結チャンバ３９が設けられ、前記連結チャンバ３９と前記チェーンチャンバ５４との間には連結ロッド５０が回転できるように取り付けられ、前記連結ロッド５０の右側端面には第三歯車５１が固定的に取り付けられ、前記第三歯車５１と前記第二歯車５３との間にはチェーン５２が伝動できるように設けられ、これにより連結ロッド５０が回転する時、第三歯車５１がチェーン５２により第二歯車５３を回転連動させ、第二歯車５３が回転し動力ロッド４３を回転連動させ、動力ロッド４３が回転し固定ロッド４５を回転連動させ、固定ロッド４５が固定ブロック４８により環状ブロック４６を前後に移動連動させ、ラック２８を前後に移動させ、ラック２８が第一歯車１４により回転箱３２を回転連動させる。
【００１３】
前記制御機構８０は前記伝動チャンバ５５の前側内壁の中に回転できるように取り付けられた駆動ロッド２０を含み、前記駆動ロッド２０の後側端面には第五傘歯車２７が固定的に取り付けられ、前記第五傘歯車２７と前記第四傘歯車２６とが噛合し、前記駆動ロッド２０の中にはスライドチャンバ３６が設けられ、前記スライドチャンバ３６の中にはスライドブロック３４がスライドできるように取り付けられ、前記スライドブロック３４の前側端面と前記スライドチャンバ３６の前側内壁との間にはバネ３５が固定的に取り付けられ、前記スライドブロック３４の前側端面には引きロッド４０が固定的に取り付けられ、前記チェーン５２の前側端面には引っ掛かり溝４２が設けられ、前記引きロッド４０が前に伸びて前記引っ掛かり溝４２の後側内壁を貫通しており、前記引きロッド４０には第七傘歯車３８が固定的に取り付けられ、前記第七傘歯車３８と前記第六傘歯車４９とが噛合でき、前記引きロッド４０の前側端面には引きブロック４１が回転できるように取り付けられ、これにより引きブロック４１を引き動かす時、引きブロック４１を回転させた後に引きブロック４１をチェーン５２の前側端面に引っ掛かり、その時に第七傘歯車３８と第六傘歯車４９とが噛合し、第四傘歯車２６が第五傘歯車２７により駆動ロッド２０を回転連動させ、第七傘歯車３８が第六傘歯車４９により連結ロッド５０を回転連動させ、連結ロッド５０が伝動ベルトにより回転機構７０を運動連動させる。
【００１４】
使用する時、前記箱１７を車内エアコンの吹出口のところに固定し、エアコンの風が第一羽根２１を吹き回転させ、前記第一羽根２１が前記回転ロッド２５を回転連動させ、前記回転ロッド２５が回転し前記第一傘歯車１８を回転連動させ、前記第一傘歯車１８が前記第二傘歯車１６と前記伝動ロッド２９とにより前記補助ロッド１２を回転連動させ、前記補助ロッド１２が前記第二羽根１１を回転連動させ、回転箱３２を回転させる時、引きブロック４１を引き動かす時、引きブロック４１を回転させた後に引きブロック４１をチェーン５２の前側端面に引っ掛かり、その時に第七傘歯車３８と第六傘歯車４９とが噛合し、第四傘歯車２６が第五傘歯車２７により駆動ロッド２０を回転連動させ、第七傘歯車３８が第六傘歯車４９により連結ロッド５０を回転連動させ、連結ロッド５０が回転し第三歯車５１を回転連動させ、第三歯車５１がチェーン５２により第二歯車５３を回転連動させ、第二歯車５３が回転し動力ロッド４３を回転連動させ、動力ロッド４３が回転し固定ロッド４５を回転連動させ、固定ロッド４５が固定ブロック４８により環状ブロック４６を前後に移動連動させ、ラック２８を前後に移動させ、ラック２８が第一歯車１４により回転箱３２を回転連動させる。
【００１５】
本発明の有益効果は：本発明はエアコンの吹出口に固定でき、車内エアコンが吹き出した風を利用し羽根を回し、娯楽性を増やし、また風車全体を回転させる時、引きブロックを引くことにより回転箱を回転させ、普及価値がある。
【００１６】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020182746.tif 000003
【図２】
2020182746.tif 000004
【図３】
2020182746.tif 000005
【図４】
2020182746.tif 000006
【手続補正書】
【提出日】令和1年7月17日(2019.7.17)
【手続補正１】
【補正対象書類名】特許請求の範囲
【補正対象項目名】全文
【補正方法】変更
【補正の内容】
【特許請求の範囲】
【請求項１】
車載風車装飾品の正面視で、箱を含み、前記箱の右側端面には四つの固定できる両面テープが取り付けられ、前記箱の右側端面の中には羽根チャンバが設けられ、前記羽根チャンバの左側内壁の中には伝動チャンバが設けられ、前記伝動チャンバの左側内壁の中には噛合チャンバが設けられ、前記伝動チャンバの中には回転ロッドが設置され、前記回転ロッドの左端が前記噛合チャンバの中に伸びており、前記回転ロッドの右端が前記羽根チャンバの中に伸びており、前記回転ロッドの右側端面には第一羽根が取り付けられ、前記羽根チャンバの上側内壁と下側内壁の中にはそれぞれ抜き穴が設置され、上下両側の前記抜き穴が互いに対称となり、前記回転ロッドの左側端面には第一傘歯車が取り付けられ、前記噛合チャンバの上側内壁の中には補助チャンバが設けられ、前記補助チャンバの中には回転チャンバが回転できるように取り付けられ、前記回転チャンバの中には下方に開口した回転箱が設けられ、前記噛合チャンバの中には上端が前記回転箱の中に伸びている伝動ロッドが設置され、前記伝動ロッドには第二傘歯車が上下に対称的に取り付けられ、前記第一傘歯車と前記第二傘歯車とが噛み合うように連結され、前記回転チャンバの左側内壁の中には補助ロッドが回転できるように取り付けられ、前記補助ロッドの右側端面には第三傘歯車が取り付けられ、前記第三傘歯車と上側の前記第二傘歯車とが噛合し、前記補助ロッドの左側端面には第二羽根が取り付けられ、エアコンの風が第一羽根を吹き回転させ、前記第一羽根が前記回転ロッドを回転連動させ、前記回転ロッドが回転し前記第一傘歯車を回転連動させ、前記第一傘歯車が前記第二傘歯車と前記伝動ロッドとにより前記補助ロッドを回転連動させ、前記補助ロッドが前記第二羽根を回転連動させ、前記回転箱の前側には前記回転箱を回転連動させることができる回転機構が設けられ、前記回転機構は前記回転箱に取り付けられた第一歯車を含み、前記補助チャンバの右側にはラックチャンバが連通するように設けられ、前記ラックチャンバの中にはラックがスライドできるように取り付けられ、前記ラックと前記第一歯車とが噛み合い、前記第一歯車が回転し前記回転箱を回転連動させ、前記回転機構の下方には制御機構が設けられており、
前記回転機構は前記補助チャンバの前側に設けられた動力チャンバも含み、前記動力チャンバの右側にはチェーンチャンバが設けられ、前記チェーンチャンバと前記動力チャンバとの間には動力ロッドが回転できるように取り付けられ、前記動力ロッドの左側端面には固定ロッドが取り付けられ、前記固定ロッドの左側端面には固定ブロックが取り付けられ、前記ラックの前側端面には環状ブロックが取り付けられ、前記環状ブロックの中にはスライド溝が設けられ、前記スライド溝と前記固定ブロックとがスライドできるように取り付けられ、前記動力ロッドの右側端面には第二歯車が取り付けられ、前記チェーンチャンバの左側には連結チャンバが設けられ、前記連結チャンバと前記チェーンチャンバとの間には連結ロッドが回転できるように取り付けられ、前記連結ロッドの右側端面には第三歯車が取り付けられ、前記第三歯車と前記第二歯車との間にはチェーンが伝動できるように設けられており、
前記制御機構は前記伝動チャンバの前側内壁の中に回転できるように取り付けられた駆動ロッドを含み、前記駆動ロッドの後側端面には第五傘歯車が取り付けられ、前記第五傘歯車と前記第四傘歯車とが噛合し、前記駆動ロッドの中にはスライドチャンバが設けられ、前記スライドチャンバの中にはスライドブロックがスライドできるように取り付けられ、前記スライドブロックの前側端面と前記スライドチャンバの前側内壁との間にはバネが取り付けられ、前記スライドブロックの前側端面には引きロッドが取り付けられ、前記チェーンの前側端面には引っ掛かり溝が設けられ、前記引きロッドが前に伸びて前記引っ掛かり溝の後側内壁を貫通しており、前記引きロッドには第七傘歯車が取り付けられ、前記第七傘歯車と前記第六傘歯車とが噛合でき、前記引きロッドの前側端面には引きブロックが回転できるように取り付けられることを特徴とする車載風車装飾品。
【手続補正２】
【補正対象書類名】明細書
【補正対象項目名】全文
【補正方法】変更
【補正の内容】
【発明の詳細な説明】
【技術分野】
【０００１】
本発明は装飾品分野を取り上げて、具体的には車載風車装飾品である。
【背景技術】
【０００２】
一般的な車載風車はただ車に置かれただけ、風車を回すには人力で実現しなければならなく、娯楽性が足りなく、また一般的な車載風車は羽根しか回すことができなく、風車全体の回転の繰り返しを実現することが難しい。
【先行技術文献】
【特許文献】
【０００３】
【特許文献１】中国特許出願公開第１０９６０３１６４号明細書
【発明の概要】
【発明が解決しようとする課題】
【０００４】
本発明の目的は車載風車装飾品を提供し、それは上記の現在の技術中の問題を解決できる。
【課題を解決するための手段】
【０００５】
本発明の車載風車装飾品は、箱を含み、前記箱の右側端面には四つの固定できる両面テープが取り付けられ、前記箱の右側端面の中には羽根チャンバが設けられ、前記羽根チャンバの左側内壁の中には伝動チャンバが設けられ、前記伝動チャンバの左側内壁の中には噛合チャンバが設けられ、前記伝動チャンバの中には回転ロッドが設置され、前記回転ロッドの左端が前記噛合チャンバの中に伸びており、前記回転ロッドの右端が前記羽根チャンバの中に伸びており、前記回転ロッドの右側端面には第一羽根が取り付けられ、前記羽根チャンバの上側内壁と下側内壁の中にはそれぞれ抜き穴が設置され、上下両側の前記抜き穴が互いに対称となり、前記回転ロッドの左側端面には第一傘歯車が取り付けられ、前記噛合チャンバの上側内壁の中には補助チャンバが設けられ、前記補助チャンバの中には回転チャンバが回転できるように取り付けられ、前記回転チャンバの中には下方に開口した回転箱が設けられ、前記噛合チャンバの中には上端が前記回転箱の中に伸びている伝動ロッドが設置され、前記伝動ロッドには第二傘歯車が上下に対称的に取り付けられ、前記第一傘歯車と前記第二傘歯車とが噛み合うように連結され、前記回転チャンバの左側内壁の中には補助ロッドが回転できるように取り付けられ、前記補助ロッドの右側端面には第三傘歯車が取り付けられ、前記第三傘歯車と上側の前記第二傘歯車とが噛合し、前記補助ロッドの左側端面には第二羽根が取り付けられ、エアコンの風が第一羽根を吹き回転させ、前記第一羽根が前記回転ロッドを回転連動させ、前記回転ロッドが回転し前記第一傘歯車を回転連動させ、前記第一傘歯車が前記第二傘歯車と前記伝動ロッドとにより前記補助ロッドを回転連動させ、前記補助ロッドが前記第二羽根を回転連動させ、前記回転箱の前側には前記回転箱を回転連動させることができる回転機構が設けられ、前記回転機構は前記回転箱に取り付けられた第一歯車を含み、前記補助チャンバの右側にはラックチャンバが連通するように設けられ、前記ラックチャンバの中にはラックがスライドできるように取り付けられ、前記ラックと前記第一歯車とが噛み合い、前記第一歯車が回転し前記回転箱を回転連動させ、前記回転機構の下方には制御機構が設けられる。
【０００６】
更の技術プラン、前記回転機構は前記補助チャンバの前側に設けられた動力チャンバも含み、前記動力チャンバの右側にはチェーンチャンバが設けられ、前記チェーンチャンバと前記動力チャンバとの間には動力ロッドが回転できるように取り付けられ、前記動力ロッドの左側端面には固定ロッドが取り付けられ、前記固定ロッドの左側端面には固定ブロックが取り付けられ、前記ラックの前側端面には環状ブロックが取り付けられ、前記環状ブロックの中にはスライド溝が設けられ、前記スライド溝と前記固定ブロックとがスライドできるように取り付けられ、前記動力ロッドの右側端面には第二歯車が取り付けられ、前記チェーンチャンバの左側には連結チャンバが設けられ、前記連結チャンバと前記チェーンチャンバとの間には連結ロッドが回転できるように取り付けられ、前記連結ロッドの右側端面には第三歯車が取り付けられ、前記第三歯車と前記第二歯車との間にはチェーンが伝動できるように設けられる。
【０００７】
更の技術プラン、前記制御機構は前記伝動チャンバの前側内壁の中に回転できるように取り付けられた駆動ロッドを含み、前記駆動ロッドの後側端面には第五傘歯車が取り付けられ、前記第五傘歯車と前記第四傘歯車とが噛合し、前記駆動ロッドの中にはスライドチャンバが設けられ、前記スライドチャンバの中にはスライドブロックがスライドできるように取り付けられ、前記スライドブロックの前側端面と前記スライドチャンバの前側内壁との間にはバネが取り付けられ、前記スライドブロックの前側端面には引きロッドが取り付けられ、前記チェーンの前側端面には引っ掛かり溝が設けられ、前記引きロッドが前に伸びて前記引っ掛かり溝の後側内壁を貫通しており、前記引きロッドには第七傘歯車が取り付けられ、前記第七傘歯車と前記第六傘歯車とが噛合でき、前記引きロッドの前側端面には引きブロックが回転できるように取り付けられる。
【発明の効果】
【０００８】
本発明はエアコンの吹出口に固定でき、車内エアコンが吹き出した風を利用し羽根を回し、娯楽性を増やし、また風車全体を回転させる時、引きブロックを引くことにより回転箱を回転させ、普及価値がある。
【図面の簡単な説明】
【０００９】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１０】
【図１】図１は本発明の構成略図
【図２】図２は図１のＡ−Ａの断面構成略図
【図３】図３は図２のＢ−Ｂの断面構成略図
【図４】図４は図２のＣ−Ｃの断面構成略図
【発明を実施するための形態】
【００１１】
図１〜４を参照し、本発明の車載風車装飾品は、箱１７を含み、前記箱１７の右側端面には四つの固定できる両面テープ２３が取り付けられ、前記箱１７の右側端面の中には羽根チャンバ２４が設けられ、前記羽根チャンバ２４の左側内壁の中には伝動チャンバ５５が設けられ、前記伝動チャンバ５５の左側内壁の中には噛合チャンバ１９が設けられ、前記伝動チャンバ５５の中には回転ロッド２５が設置され、前記回転ロッド２５の左端が前記噛合チャンバ１９の中に伸びており、前記回転ロッド２５の右端が前記羽根チャンバ２４の中に伸びており、前記回転ロッド２５の右側端面には第一羽根２１が取り付けられ、前記羽根チャンバ２４の上側内壁と下側内壁の中にはそれぞれ抜き穴２２が設置され、上下両側の前記抜き穴２２が互いに対称となり、前記回転ロッド２５の左側端面には第一傘歯車１８が取り付けられ、前記噛合チャンバ１９の上側内壁の中には補助チャンバ１５が設けられ、前記補助チャンバ１５の中には回転チャンバ３２が回転できるように取り付けられ、前記回転チャンバ３２の中には下方に開口した回転箱３１が設けられ、前記噛合チャンバ１９の中には上端が前記回転箱３１の中に伸びている伝動ロッド２９が設置され、前記伝動ロッド２９には第二傘歯車１６が上下に対称的に取り付けられ、前記第一傘歯車１８と前記第二傘歯車１６とが噛み合うように連結され、前記回転チャンバ３１の左側内壁の中には補助ロッド１２が回転できるように取り付けられ、前記補助ロッド１２の右側端面には第三傘歯車１３が取り付けられ、前記第三傘歯車１３と上側の前記第二傘歯車１６とが噛合し、前記補助ロッド１２の左側端面には第二羽根１１が取り付けられ、エアコンの風が第一羽根２１を吹き回転させ、前記第一羽根２１が前記回転ロッド２５を回転連動させ、前記回転ロッド２５が回転し前記第一傘歯車１８を回転連動させ、前記第一傘歯車１８が前記第二傘歯車１６と前記伝動ロッド２９とにより前記補助ロッド１２を回転連動させ、前記補助ロッド１２が前記第二羽根１１を回転連動させ、前記回転箱３２の前側には前記回転箱３２を回転連動させることができる回転機構７０が設けられ、前記回転機構７０は前記回転箱３２に取り付けられた第一歯車１４を含み、前記補助チャンバ１５の右側にはラックチャンバ３３が連通するように設けられ、前記ラックチャンバ３３の中にはラック２８がスライドできるように取り付けられ、前記ラック２８と前記第一歯車１４とが噛み合い、前記第一歯車１４が回転し前記回転箱３２を回転連動させ、前記回転機構７０の下方には制御機構８０が設けられる。
【００１２】
前記回転機構７０は前記補助チャンバ１５の前側に設けられた動力チャンバ４４も含み、前記動力チャンバ４４の右側にはチェーンチャンバ５４が設けられ、前記チェーンチャンバ５４と前記動力チャンバ４４との間には動力ロッド４３が回転できるように取り付けられ、前記動力ロッド４３の左側端面には固定ロッド４５が取り付けられ、前記固定ロッド４５の左側端面には固定ブロック４８が取り付けられ、前記ラック２８の前側端面には環状ブロック４６が取り付けられ、前記環状ブロック４６の中にはスライド溝４７が設けられ、前記スライド溝４７と前記固定ブロック４８とがスライドできるように取り付けられ、前記動力ロッド４３の右側端面には第二歯車５３が取り付けられ、前記チェーンチャンバ５４の左側には連結チャンバ３９が設けられ、前記連結チャンバ３９と前記チェーンチャンバ５４との間には連結ロッド５０が回転できるように取り付けられ、前記連結ロッド５０の右側端面には第三歯車５１が取り付けられ、前記第三歯車５１と前記第二歯車５３との間にはチェーン５２が伝動できるように設けられ、これにより連結ロッド５０が回転する時、第三歯車５１がチェーン５２により第二歯車５３を回転連動させ、第二歯車５３が回転し動力ロッド４３を回転連動させ、動力ロッド４３が回転し固定ロッド４５を回転連動させ、固定ロッド４５が固定ブロック４８により環状ブロック４６を前後に移動連動させ、ラック２８を前後に移動させ、ラック２８が第一歯車１４により回転箱３２を回転連動させる。
【００１３】
前記制御機構８０は前記伝動チャンバ５５の前側内壁の中に回転できるように取り付けられた駆動ロッド２０を含み、前記駆動ロッド２０の後側端面には第五傘歯車２７が取り付けられ、前記第五傘歯車２７と前記第四傘歯車２６とが噛合し、前記駆動ロッド２０の中にはスライドチャンバ３６が設けられ、前記スライドチャンバ３６の中にはスライドブロック３４がスライドできるように取り付けられ、前記スライドブロック３４の前側端面と前記スライドチャンバ３６の前側内壁との間にはバネ３５が取り付けられ、前記スライドブロック３４の前側端面には引きロッド４０が取り付けられ、前記チェーン５２の前側端面には引っ掛かり溝４２が設けられ、前記引きロッド４０が前に伸びて前記引っ掛かり溝４２の後側内壁を貫通しており、前記引きロッド４０には第七傘歯車３８が取り付けられ、前記第七傘歯車３８と前記第六傘歯車４９とが噛合でき、前記引きロッド４０の前側端面には引きブロック４１が回転できるように取り付けられ、これにより引きブロック４１を引き動かす時、引きブロック４１を回転させた後に引きブロック４１をチェーン５２の前側端面に引っ掛かり、その時に第七傘歯車３８と第六傘歯車４９とが噛合し、第四傘歯車２６が第五傘歯車２７により駆動ロッド２０を回転連動させ、第七傘歯車３８が第六傘歯車４９により連結ロッド５０を回転連動させ、連結ロッド５０が伝動ベルトにより回転機構７０を運動連動させる。
【００１４】
使用する時、前記箱１７を車内エアコンの吹出口のところに固定し、エアコンの風が第一羽根２１を吹き回転させ、前記第一羽根２１が前記回転ロッド２５を回転連動させ、前記回転ロッド２５が回転し前記第一傘歯車１８を回転連動させ、前記第一傘歯車１８が前記第二傘歯車１６と前記伝動ロッド２９とにより前記補助ロッド１２を回転連動させ、前記補助ロッド１２が前記第二羽根１１を回転連動させ、回転箱３２を回転させる時、引きブロック４１を引き動かす時、引きブロック４１を回転させた後に引きブロック４１をチェーン５２の前側端面に引っ掛かり、その時に第七傘歯車３８と第六傘歯車４９とが噛合し、第四傘歯車２６が第五傘歯車２７により駆動ロッド２０を回転連動させ、第七傘歯車３８が第六傘歯車４９により連結ロッド５０を回転連動させ、連結ロッド５０が回転し第三歯車５１を回転連動させ、第三歯車５１がチェーン５２により第二歯車５３を回転連動させ、第二歯車５３が回転し動力ロッド４３を回転連動させ、動力ロッド４３が回転し固定ロッド４５を回転連動させ、固定ロッド４５が固定ブロック４８により環状ブロック４６を前後に移動連動させ、ラック２８を前後に移動させ、ラック２８が第一歯車１４により回転箱３２を回転連動させる。
【００１５】
本発明の有益効果は：本発明はエアコンの吹出口に固定でき、車内エアコンが吹き出した風を利用し羽根を回し、娯楽性を増やし、また風車全体を回転させる時、引きブロックを引くことにより回転箱を回転させ、普及価値がある。
【００１６】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。